(57)【要約】【課題】取付け作業の容易性を確保しつつ、防水機能を十分に維持できるセキュリティ機器の筐体構造を提供する。【解決手段】筐体１を、矩形状の基板部４と、基板部４の外周の３方を囲むように形成される下辺部５並びに側辺部６Ｌ及び６Ｒとを有してなるロアケース２と、基板部７，上辺部８並びに側辺部９Ｌ及び９Ｒとを有してなるアッパケース３とで構成する。ロアケース２を建造物の外壁Ｗ側に設置してアッパケース３を組み付けることで、両ケースの基板部４及び７と、それらの４方を囲む下辺部５，上辺部８，側辺部６Ｌ及び６Ｒで形成される筐体１の内部空間に、回路基板が収容される。ケース２，３夫々が有する側辺部６Ｌ及び６Ｒ，９Ｌ及び９Ｒの少なくとも一部分を対応する基板部４，７の面に対して垂直よりも内側に傾斜するように形成し、ケース２にケース３を組み付けた際に、側辺部９Ｌ及び９Ｒの内面がケース２のエッジラインＥＬに接するように構成する。【選択図】図１
2018186155.tif 000002
【特許請求の範囲】
【請求項１】
建造物の外壁に設置されるセキュリティ機器に使用され、内部に回路基板が収容される筐体を構成するもので、
壁側に配置され、矩形状の基板部と、この基板部の外周の３方を囲むように形成される上辺部又は下辺部及び２つの側辺部とを有してなる固定側ケースと、
この固定側ケースに組み付けられ、矩形状の基板部と、この基板部の外周の３方を囲むように形成される、上辺部又は下辺部のうち前記固定側ケースが備えていない辺部及び２つの側辺部とを有してなる組み付け側ケースとを備え、
前記固定側ケースと前記組み付け側ケースとは、それぞれが有する側辺部の少なくとも一部分が、対応する基板部の面に対して垂直よりも内側に傾斜するように形成されており、
前記固定側ケースに前記組み付け側ケースを組み付けた際に、一方の側辺部の内面が、他方の基板部と側辺部とのつなぎ目であるエッジラインに接するように構成されているセキュリティ機器の筐体構造。
【請求項２】
前記固定側ケース及び前記組み付け側ケースには、それぞれの基板部上に、２つの側辺部の間を支持するリブが設けられていない請求項１記載のセキュリティ機器の筐体構造。
【請求項３】
一方のケースの上辺部に、他方のケースの基板部上端が接する部分を覆うように、下方に向けて延設される延設部を設ける請求項１又は２記載のセキュリティ機器の筐体構造。
【請求項４】
前記上辺部は、前記組み付け側ケース側に設けられ、
前記固定側ケースの基板部の上端が、前記上辺部の先端から所定の間隔を置いた位置で、当該上辺部の内面に当接するように構成されている請求項３記載のセキュリティ機器の筐体構造。
【請求項５】
前記延設部は、前記上辺部の先端から所定の間隔を置いた位置に形成されている請求項４記載のセキュリティ機器の筐体構造。
【発明の詳細な説明】
【技術分野】
【０００１】
本発明は、建造物の外壁に設置されるセキュリティ機器に使用され、内部に回路基板が収容される筐体の構造に関する。
【背景技術】
【０００２】
住宅等の建造物の外壁に設置される、例えばカードリーダのようなセキュリティ機器に使用される筐体には、内部に収容されている回路基板を保護するため、雨水等に対する防水性が要求される。また、セキュリティ機器には、やはり防水性を考慮してバッテリ駆動されるものがある。この場合、筐体の内部に配置されているバッテリが消耗すると、例えば設置業者やセキュリティサービス業者，エンドユーザ等がケースの一部を取り外してバッテリを交換する必要がある。したがって、ユーザの作業ばらつきを考慮すると、ケースの一部の取り外しや取り付けを極力容易に行い得る構造にしなければならない。
【０００３】
一般的に、筐体の防水性を確保するためには、例えば特許文献１の図９に開示されているように、筐体を構成するケースの合わせ目となる部分にパッキン等の部材を用いることが多い。
【先行技術文献】
【特許文献】
【０００４】
【特許文献１】特開２０１０−９８５３５号公報
【発明の概要】
【発明が解決しようとする課題】
【０００５】
しかしながら、パッキン等の部材を用いた場合、ユーザにとっては、防水性を確保する状態でケースを正しく取り付けることが難しくなる。取り付け作業の状態によっては、パッキンに「寄れ」や「ねじれ」が発生する可能性があり、筐体の防水機能が保障されなくなるおそれがある。
【０００６】
本発明は上記事情に鑑みてなされたものであり、その目的は、取付け作業の容易性を確保しつつ、防水機能を十分に維持できるセキュリティ機器の筐体構造を提供することにある。
【課題を解決するための手段】
【０００７】
請求項１記載のセキュリティ機器の筐体構造によれば、その筐体は、矩形状の基板部と、基板部の外周の３方を囲むように形成される上辺部又は下辺部及び２つの側辺部とを有してなる固定側ケース並びに組み付け側ケースを備えている。固定側ケースを建造物の外壁側に設置して、組み付け側ケースを組み付けることで、両ケースの基板部と、基板部の４方を囲む上辺部及び下辺部並びに２つの側辺部とで形成される筐体の内部空間に、回路基板が収容される。
【０００８】
そして、固定側ケースと組み付け側ケースとがそれぞれが有する側辺部の少なくとも一部分を、対応する基板部の面に対して垂直よりも内側に傾斜するように形成し、固定側ケースに組み付け側ケースを組み付けた際に、一方の側辺部の内面が、他方の基板部と側辺部とのつなぎ目，つまり「角」の部分であるであるエッジラインに接するように構成する。固定側ケース，組み付け側ケースは、それぞれ上辺部又は下辺部の何れか一方を欠いている。そのため、ケースの形成時において、それぞれの両側辺部は、前記欠いている辺部に向かうに従って間隔が狭まり易くなる。
【０００９】
このように構成すれば、固定側ケースと組み付け側ケースとが接する部分にパッキン等の防水部材を用いずとも、一方のケースの側辺部の内面が他方のケースのエッジラインに接しているので、雨水等の浸入を防止できる。そして、ユーザは、組み付け側ケースの取り付けを容易に行うことができる。尚、上述したように、各ケースが上辺部又は下辺部の何れか一方を欠いていることも、取り付けを容易に行い得る要因となる。また、一方の側辺部が他方のエッジラインに接するまでの部位には空間が形成されるので、若し水が浸入した場合でも、前記空間を伝わせて下方に排水させることができる。
【００１０】
請求項２記載のセキュリティ機器の筐体構造によれば、固定側ケース及び組み付け側ケースには、それぞれの基板部上に、２つの側辺部の間を支持するためのリブを設けない構成とする。一般にこのようなケースは、金型を起こして樹脂等の材料で形成される。その際に、基板部の外周端において立上るように形成される側辺部については、通常であれば、基板部の面に対し所定の公差を含んで垂直となるように、側辺部を支持するリブを設ける。
【００１１】
しかし本発明では、側辺部を垂直よりも内側に傾斜するように、所謂「倒れ」が生じるように形成するので、上記のようなリブを設ける必要が無い。したがって、金型に上記傾斜を考慮した設計を施さずとも、側辺部が内側に傾斜するように形成できる。また、両ケースに上記のようなリブがないことで、固定側ケースに対して組み付け側ケースを、上辺側又は下辺側からスライドさせて取り付けることができる。このように、ケースをスライドさせて取り付けるようにすれば、ユーザが、防水機能を確保する状態での組み付けを容易に行うことができる。
【００１２】
請求項３記載のセキュリティ機器の筐体構造によれば、一方のケースの上辺部に、他方のケースの基板部上端が接する部分を覆うように、下方に向けて延設される延設部を設ける。このように構成すれば、上辺部と基板部の上端とが接する部分から雨水等が浸入することを、延設部によって防止できる。
【００１３】
請求項４記載のセキュリティ機器の筐体構造によれば、上辺部を組み付け側ケース側に設け、固定側ケースの基板部の上端を、前記上辺部の先端から所定の間隔を置いた位置で、当該上辺部の内面に当接させる。このように構成すれば、上辺部の内面と基板部の上端とが接する部分が、上辺部の先端よりも手前側になるので、雨水等がより浸入し難くなる。
【００１４】
請求項５記載のセキュリティ機器の筐体構造によれば、延設部を、上辺部の先端から所定の間隔を置いた位置に形成する。このように構成すれば、上辺部の先端から延設部に至るまでの部分が、下方から見て庇状に張り出す形状となるので、雨水等の浸入をより確実に防止できる。
【図面の簡単な説明】
【００１５】
【図１】一実施形態であり、セキュリティ機器筐体の図４に示すＢ−Ｂ断面図
【図２】セキュリティ機器筐体の図４に示すＣ−Ｃ断面図
【図３】セキュリティ機器筐体の図４に示すＡ−Ａ断面図
【図４】アッパケースの背面図
【図５】ロアケースの内部を示す斜視図
【図６】アッパケースの内部を示す斜視図
【図７】ロアケースの外部を示す斜視図
【図８】セキュリティ機器を建造物の外壁に設置した状態を示す側面図
【発明を実施するための形態】
【００１６】
以下、一実施形態について図面を参照して説明する。図６から図８に示すように、本実施形態のセキュリティ機器の筐体１は、例えば樹脂等の材料で形成されたロアケース２とアッパケース３とを備えている。ロアケース２は、矩形状の基板部４と、基板部４の図６中で下辺側に形成される下辺部５と、基板部４の両側辺に形成される側辺部６Ｌ，６Ｒとを有している。すなわち、基板部４は、下辺部５並びに側辺部６Ｌ及び６Ｒにより３方が囲まれており、ロアケース２の上方側には辺部が形成されていない。
【００１７】
アッパケース３は、矩形状の基板部７と、基板部７の図６中で上辺側に形成される上辺部８と、基板部７の両側辺に形成される側辺部９Ｌ，９Ｒとを有している。すなわち、基板部７は、上辺部８並びに側辺部９Ｌ及び９Ｒにより３方が囲まれており、アッパケース３の下方側には辺部が形成されていない。尚、側辺部６Ｌ及び６Ｒの高さ寸法は、側辺部９Ｌ及び９Ｒよりも短くなるように設定されている。また、図６に示すように、上辺部８の先端より所定の間隔を置いた位置には、下方に向けて延設され、図中の左右方向に亘るようにして延設部１０が形成されている。
【００１８】
ロアケース２は、図８に示すように、例えば住宅等の建造物の外壁Ｗ側に取り付けられ、そのロアケース２を覆うようにしてアッパケース３が組み付けられる。これにより、筐体１は、ケース２，３の基板部４，７と、ロアケース２の下辺部５及び側辺部６Ｌ，６Ｒと、アッパケース３の上辺部８とで囲まれた内部空間を備える。その内部空間に、図示しない回路基板が収容される。ロアケース２は固定側ケースに相当し、アッパケース３は組み付け側ケースに相当する。
【００１９】
尚、ロアケース２は、図示しない取付板を介して外壁Ｗ側に取り付けられることがある。また、ケース２，３の間には、前記内部空間において回路基板等を固定するための図示しないホルダが介在することがある。
【００２０】
図４は、筐体１をロアケース２側から見たもので、図１は図４のＡ−Ａ断面を、図２は同Ｃ−Ｃ断面を、図３は同Ｂ−Ｂ断面を特徴をデフォルメしてモデル的に示している。図５に示すように、ロアケース２の基板部４の内側には、側辺部６Ｌ及び６Ｒを支持するためのリブが形成されていない。一般に、このような形状のケースを金型により形成する際には、側辺部が基板部の平面を基準として所定の公差を含んで垂直となるように、側辺部を支持するリブを設ける。
【００２１】
これに対して本実施形態では、側辺部６Ｌ及び６Ｒを、基板部４の面を基準として垂直にすることは狙わず、図１に示すように、敢えて内側に傾くように形成する。但し、側辺部６Ｌ及び６Ｒの下辺部５に近い側では、下辺部５がリブとなることで比較的垂直に近く立上り、そこから上辺側に向かうに従って傾斜の度合いが大きくなるように形成される。これは、アッパケース３についても同様であり、図６に示すように、基板部７の内側には同趣旨のリブが形成されていないため、図１に示すように、側辺部９Ｌ及び９Ｒが内側に傾くように形成されている。したがって、図２に示す上下方向の中間部位に近いＣ−Ｃ断面では、側辺部９Ｌ及び９Ｒと側辺部６Ｌ及び６Ｒとはそ、れぞれ垂直に近い状態で立上っている。
【００２２】
つまり、図１に示すように、アッパケース３は、基板部７の両側辺から後方に延びる側辺部９Ｌ及び９Ｒの間隔が、図４において下方に向かうに従い狭まるような形状となっている。また、同図から類推されるように、ロアケース２は、背面側，外壁側に位置する基板部４の両側辺から前方に延びる側辺部６Ｌ及び６Ｒの間隔が、図４において上方に向かうに従い狭まるような形状となっている。
【００２３】
その結果、ロアケース２にアッパケース３を取り付けると、外側に位置するアッパケース３の側辺部９Ｌ及び９Ｒの内面が、ロアケース２側の基板部４と側辺部６Ｌ及び６Ｒとのつなぎ目である「角」の部分に接するようになる。以下、前記つなぎ目が上下方向に繋がる線を「エッジラインＥＬ」と称する。これにより、筐体１の側方から水が、図中にハッチングで示す内部空間に浸入することを阻止できる。
【００２４】
また、アッパケース３の基板部７と、側辺部９Ｌ及び９Ｒの内面がエッジラインＥＬに接するまでの部位には空間が形成される。これにより、若しこの部分に水が浸入したとしても、この空間によって水を下方に排水させることができる。
【００２５】
更に図３に示すように、基板部４の上端は、上辺部８に形成されている延設部１０よりも前方となる位置で上辺部８の内面に当接している。つまり、延設部１０は、基板部４の上端と上辺部８とが接する部位を、背面側から覆うように形成されている。この場合、延設部１０の前面側と、基板部４の上端部の少なくとも一部とが接している。加えて、上辺部８の先端から延設部１０が形成されているまでの部位は、下方から見て庇状に張り出した形状となっており、当該部分を庇部８Ｅと称する。このように、延設部１０及び庇部８Ｅを備える構造とすることで、筐体１の上方から水が内部に浸入することも確実に阻止できる。
【００２６】
また、アッパケース３の内部側にリブが設けられていないので、先に外壁側に据え付けたロアケース２にアッパケース３を取り付ける際に、アッパケース３を、ロアケース２の上方から下方にスライドさせて組み付けることができる。このような組み付け作業は、アッパケース３を、ロアケース２の正面方向から組み付ける作業よりも容易であるから、作業レベルが異なる多数のユーザがそれぞれ内部の電池等を交換する際に、アッパケース３を容易に組み付けることができる。
【００２７】
また、アッパケース３をロアケース２に組み付ける際に、最初はアッパケース３の側辺部９Ｌ及び９Ｒの内面がロアケース２のエッジラインＥＬに接触するが、側辺部９Ｌ及び９Ｒの傾斜量は僅かであるから、作業者は、一般的な略垂直に立ち上がる側辺部と同じような感覚で組み付け作業を行い得る。そして、組み付け作業の終わり際では、図１に示すように、アッパケース３の側辺部９Ｌ及び９Ｒが内側に傾くのに対し、ロアケース２の側辺部６Ｌ及び６Ｒは垂直に近くなるのでスライド時の抵抗が減少し、組み付けがスムーズになり最終的な組立が失敗し難くなる。
【００２８】
さらに、アッパケース３を、ロアケース２の上方からスライドさせて組み付ける際には、例えばアッパケース３の基板部７と、ロアケース２の側辺部６Ｌ及び６Ｒの先端とが接する部分に塵芥等が付着していた際に、その塵芥が側辺部６Ｌ及び６Ｒによって上方に押し上げられる。基板部７と側辺部６Ｌ及び６Ｒとの間に塵芥が介在すると、アッパケース３の内部に浸入した水が、毛細管現象によってロアケース２の内部に浸入し易くなる。そのような塵芥を上方に押し上げることで、毛細管現象の発生を防止できる。
【００２９】
なお、アッパケース３をロアケース２に組み付けた後は、アッパケース３の正面下方にあるねじ穴よりねじを差し込んで締め付けることで、例えば前述した取付板に対しケース２及び３を共締めし、外壁Ｗに固定する。
【００３０】
以上のように本実施形態によれば、筐体１を、矩形状の基板部４と、基板部４の外周の３方を囲むように形成される下辺部５並びに側辺部６Ｌ及び６Ｒとを有してなるロアケース２と、基板部７，上辺部８並びに側辺部９Ｌ及び９Ｒとを有してなるアッパケース３とで構成する。ロアケース２を建造物の外壁Ｗ側に設置してアッパケース３を組み付けることで、両ケースの基板部４及び７と、それらの４方を囲む下辺部５，上辺部８，側辺部６Ｌ及び６Ｒで形成される筐体１の内部空間に、回路基板が収容される。
【００３１】
そして、ケース２，３のそれぞれが有する側辺部６Ｌ及び６Ｒ，９Ｌ及び９Ｒの少なくとも一部分を、対応する基板部４，７の面に対して垂直よりも内側に傾斜するように形成し、ロアケース２にアッパケース３を組み付けた際に、側辺部９Ｌ及び９Ｒの内面が、ロアケース２のエッジラインＥＬに接するように構成する。
【００３２】
したがって、ロアケース２とアッパケース３とが接する部分にパッキン等の防水部材を用いずとも、雨水等の浸入を防止できる。そして、ユーザは、アッパケース３の取付けを容易に行うことができる。また、基板部７より立上る側辺部９Ｌ及び９Ｒ面がエッジラインＥＬに接するまでの部位には空間が形成されるので、若し水が浸入した場合でも、前記空間を伝わせて下方に排水させることができる。
【００３３】
この場合、ケース２及び３には、それぞれの基板部４及び７上に、側辺部６Ｌ及び６Ｒ，９Ｌ及び９Ｒの間を支持するためのリブを設けない構成として、側辺部６Ｌ及び６Ｒ，９Ｌ及び９Ｒに「倒れ」が生じるように形成する。したがって、金型に上記傾斜を考慮した設計を施さずとも、側辺部が内側に傾斜するように形成できる。また、ロアケース２に対してアッパケース２を、上辺側からスライドさせて取り付けることができるので、ユーザが、防水機能を確保する状態での組み付けを容易に行うことができる。
【００３４】
また、アッパケース３の上辺部８に、ロアケース２の基板部４の上端が接する部分を覆うように、下方に向けて延設される延設部１０を設けるので、上辺部８と基板部４の上端とが接する部分から雨水等が浸入することを、延設部１０により防止できる。
【００３５】
更に、上辺部８をアッパケース３側に設け、ロアケース２の基板部４の上端を、上辺部８の先端から所定の間隔を置いた位置で上辺部８の内面に当接させるので、両者が接する部分が上辺部８の先端よりも手前側になり、雨水等がより浸入し難くなる。
【００３６】
加えて、延設部１０を、上辺部８の先端から所定の間隔を置いた位置に形成するので、上辺部８の先端から延設部１０に至るまでの部分が庇部８Ｅとなり、雨水等の浸入をより確実に防止できる。
【００３７】
本発明は上記した、又は図面に記載した実施形態にのみ限定されるものではなく、以下のような変形又は拡張が可能である。
庇部８Ｅや延設部１０は、必要に応じて設ければ良い。
固定側ケースをアッパケース，組み付け側ケースをロアケースとしても良い。その場合、固定側ケースに上辺部を設け、組み付け側ケースに下辺部を設けて、固定側ケースの側辺部の内面が、組み付け側ケースのエッジラインに接するように構成する。
【符号の説明】
【００３８】
図面中、１は筐体、２はロアケース、３はアッパケース、４は基板部、５は下辺部、６Ｌ及び６Ｒは側辺部、７は基板部、８は上辺部、８Ｅは庇部、９Ｌ及び９Ｒは側辺部、１０は延設部を示す。
【図１】
2018186155.tif 000003
【図２】
2018186155.tif 000004
【図３】
2018186155.tif 000005
【図４】
2018186155.tif 000006
【図５】
2018186155.tif 000007
【図６】
2018186155.tif 000008
【図７】
2018186155.tif 000009
【図８】
2018186155.tif 000010